【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
所定の有線伝送方法により接続可能な通信機器との間でデータ伝送を行なう伝送システムであって、
前記通信機器と相互に伝送を行なう、前記所定の有線伝送方法のＭＡＣ層を備えた端末装置と、
前記通信機器とは前記所定の有線伝送方法の物理層で接続される接続装置と、
前記端末装置と前記接続装置間を電磁結合により接続する非接触伝送手段と、
を具備することを特徴とする伝送システム。
【請求項２】
前記非接触接続手段は、
前記端末装置内の前記所定の有線伝送方法のＭＡＣ層に対して前記所定の有線伝送方式の物理層として振る舞う第１の物理層と、
前記接続装置内の前記所定の有線伝送方法の物理層に対して前記所定の有線伝送方式のＭＡＣ層として振る舞う第２の物理層と、
を備えて、ベースバンド帯のまま伝送を行ない、
前記第１及び第２の物理層の間では電磁結合によりデータ伝送を行なう、
ことを特徴とする請求項１に記載の伝送システム。
【請求項３】
前記第１の物理層は、前記所定の有線伝送方法のＭＡＣ層から受け取ったベースバンドのデータを直流成分を含まない非直流符号化方式によって符号化してから電磁結合により伝送するとともに、電磁結合により受信した信号を前記非直流符号化方式による復号化してから前記所定の有線伝送方法のＭＡＣ層に渡し、
前記第２の物理層は、前記所定の有線伝送方法の物理層から受け取ったベースバンドのデータを前記非直流符号化方式によって符号化してから電磁結合により伝送するとともに、電磁結合により受信した信号を前記非直流符号化方式による復号化してから前記所定の有線伝送方法の物理層に渡す、
ことを特徴とする請求項２に記載の伝送システム。
【請求項４】
前記所定の有線伝送方法として４Ｂ５Ｂ及びＭＬＴ−３符号化方式を採用するＥｔｈｅｒｎｅｔ（登録商標）が適用され、
前記第１及び第２の物理層は、ベースバンドの伝送データをマンチェスタ符号化方式に符号変換してから電磁結合により送信するとともに、電磁結合により受信したデータをマンチェスタ符号化方式から元のベースバンドの伝送データに符号変換する、
ことを特徴とする請求項３に記載の伝送システム。
【請求項５】
前記所定の有線伝送方法では、ＭＡＣ層と物理層の間はＭＩＩ（Ｍｅｄｉａ  Ｉｎｄｅｐｅｎｄｅｎｔ  Ｉｎｔｅｒｆａｃｅ）で接続することが規定され、
前記第１の物理層は、電磁結合用のコイル及び結合器と、前記所定の有線伝送方法のＭＡＣ層とはＭＩＩで接続される第１の符号変換部を備え、
前記第１の符号変換部は、前記所定の有線伝送方法のＭＡＣ層から受け取ったベースバンドの伝送データを前記非直流符号化方式に符号変換して前記電磁結合用のコイル及び結合器から伝送するとともに、前記電磁結合用のコイル及び結合器で受信したデータを前記非直流符号化方式から元のベースバンドの伝送データに符号変換してＭＩＩ経由で前記所定の有線伝送方法の前記ＭＡＣ層に渡す、
ことを特徴とする請求項３に記載の伝送システム。
【請求項６】
前記所定の有線伝送方法では、ＭＡＣ層と物理層の間はＭＩＩ（Ｍｅｄｉａ  Ｉｎｄｅｐｅｎｄｅｎｔ  Ｉｎｔｅｒｆａｃｅ）で接続することが規定され、
前記第２の物理層は、電磁結合用のコイル及び結合器と、前記所定の有線伝送方法の物理層とはＭＩＩで接続される第２の符号変換部を備え、
前記第２の符号変換部は、前記所定の有線伝送方法の物理層から受け取ったベースバンドの伝送データを前記非直流符号化方式に符号変換して前記電磁結合用のコイル及び結合器から伝送するとともに、前記電磁結合用のコイル及び結合器で受信したデータを前記非直流符号化方式から元のベースバンドの伝送データに符号変換してＭＩＩ経由で前記所定の有線伝送方法の物理層に渡す、
ことを特徴とする請求項３に記載の伝送システム。
【請求項７】
所定の有線伝送方法により接続可能な２以上の通信機器間でデータ伝送を行なう伝送システムであって、
前記所定の有線伝送方法に則った有線伝送路の一部の区間において、前記通信機器とは前記所定の有線伝送方法の物理層で接続されるとともに、互いに電磁結合により接続される１対の接続装置で構成される非接触伝送路を有する、
ことを特徴とする伝送システム。
【請求項８】
前記１対の接続装置で接続される非接触伝送路上ではベースバンド帯のまま伝送を行なう、
ことを特徴とする請求項７に記載の伝送システム。
【請求項９】
前記接続装置は、
前記所定の有線伝送方法の物理層と、
前記所定の有線伝送方法のバンドのデータを直流成分を含まない非直流符号化方式によって符号化するとともに、電磁結合により受信したデータを前記非直流符号化方式による復号化してから前記所定の有線伝送方法の物理層に渡す符号変換手段と、
電磁結合用のコイル及び結合器と、
を備えることを特徴とする請求項７に記載の伝送システム。
【請求項１０】
前記所定の有線伝送方法として４Ｂ５Ｂ及びＭＬＴ−３符号化方式を採用するＥｔｈｅｒｎｅｔ（登録商標）が適用され、
前記符号変換手段は、前記所定の有線伝送方法の物理層とはＭＩＩで接続され、ベースバンドの伝送データをマンチェスタ符号化方式に符号変換してから電磁結合により送信するとともに、電磁結合により受信したデータをマンチェスタ符号化方式から元のベースバンドの伝送データに符号変換する、
ことを特徴とする請求項９に記載の伝送システム。
【請求項１１】
所定の有線伝送方法により接続可能な通信機器との間でデータ伝送を行なう伝送装置であって、
前記所定の有線伝送方法のＭＡＣ層と、
前記所定の有線伝送方法のＭＡＣ層に対して前記所定の有線伝送方式の物理層として振る舞い、電磁結合によるデータ伝送を行なう新物理層と、
を具備することを特徴とする伝送装置。
【請求項１２】
前記新物理層はベースバンド帯のまま電磁結合による伝送を行なう、
ことを特徴とする請求項１１に記載の伝送装置。
【請求項１３】
前記新物理層は、前記所定の有線伝送方法のＭＡＣ層から受け取ったベースバンドのデータを直流成分を含まない非直流符号化方式によって符号化してから電磁結合により伝送するとともに、電磁結合により受信した信号を前記非直流符号化方式により元のベースバンドの伝送データに復号化してから前記所定の有線伝送方法のＭＡＣ層に渡す、
ことを特徴とする請求項１１に記載の伝送装置。
【請求項１４】
前記所定の有線伝送方法として４Ｂ５Ｂ及びＭＬＴ−３符号化方式を採用するＥｔｈｅｒｎｅｔ（登録商標）が適用され、
前記新物理層は、Ｅｔｈｅｒｎｅｔ（登録商標）のＭＡＣ層から渡されたベースバンドの伝送データをマンチェスタ符号化方式に符号変換してから電磁結合により送信するとともに、電磁結合により受信したデータをマンチェスタ符号化方式から元のベースバンドの伝送データに復号してからＥｔｈｅｒｎｅｔ（登録商標）のＭＡＣ層に渡す、
ことを特徴とする請求項１３に記載の伝送装置。
【請求項１５】
前記所定の有線伝送方法では、ＭＡＣ層と物理層の間はＭＩＩ（Ｍｅｄｉａ  Ｉｎｄｅｐｅｎｄｅｎｔ  Ｉｎｔｅｒｆａｃｅ）で接続することが規定され、
前記新物理層は、電磁結合用のコイル及び結合器と、前記所定の有線伝送方法のＭＡＣ層とはＭＩＩで接続される符号変換部を備え、
前記符号変換部は、前記所定の有線伝送方法のＭＡＣ層から受け取ったベースバンドのデータを前記非直流符号化方式によって符号化した後に前記電磁結合用のコイル及び結合器から伝送するとともに、前記電磁結合用のコイル及び結合器で受信したデータを前記非直流符号化方式により元のベースバンドの伝送データに復号化してから前記所定の有線伝送方法のＭＡＣ層に渡す、
ことを特徴とする請求項１３に記載の伝送装置。
【請求項１６】
所定の有線伝送方法によるデータ伝送の橋渡しを行なう伝送装置であって、
前記所定の有線伝送方法の物理層と、
前記所定の有線伝送方法の物理層に対して前記所定の有線伝送方式のＭＡＣ層として振る舞うとともに、電磁結合によるデータ伝送を行なう新物理層と、
を具備することを特徴とする伝送装置。
【請求項１７】
前記新物理層はベースバンド帯のまま電磁結合による伝送を行なう、
ことを特徴とする請求項１６に記載の伝送装置。
【請求項１８】
前記新物理層は、前記所定の有線伝送方法の物理層から受け取ったベースバンドのデータを直流成分を含まない非直流符号化方式によって符号化してから電磁結合により伝送するとともに、電磁結合により受信した信号を前記非直流符号化方式により元のベースバンドの伝送データに復号化してから前記所定の有線伝送方法の物理層に渡す、
ことを特徴とする請求項１６に記載の伝送装置。
【請求項１９】
前記所定の有線伝送方法として４Ｂ５Ｂ及びＭＬＴ−３符号化方式を採用するＥｔｈｅｒｎｅｔ（登録商標）が適用され、
前記新物理層は、Ｅｔｈｅｒｎｅｔ（登録商標）の物理層から渡されたベースバンドの伝送データをマンチェスタ符号化方式に符号変換してから電磁結合により送信するとともに、電磁結合により受信したデータをマンチェスタ符号化方式から元のベースバンドの伝送データに復号してからＥｔｈｅｒｎｅｔ（登録商標）の物理層に渡す、
ことを特徴とする請求項１８に記載の伝送装置。
【請求項２０】
前記所定の有線伝送方法では、ＭＡＣ層と物理層の間はＭＩＩ（Ｍｅｄｉａ  Ｉｎｄｅｐｅｎｄｅｎｔ  Ｉｎｔｅｒｆａｃｅ）で接続することが規定され、
前記新物理層は、電磁結合用のコイル及び結合器と、前記所定の有線伝送方法の物理層とはＭＩＩで接続される符号変換部を備え、
前記符号変換部は、前記所定の有線伝送方法の物理層から受け取ったベースバンドのデータを前記非直流符号化方式によって符号化した後に前記電磁結合用のコイル及び結合器から伝送するとともに、前記電磁結合用のコイル及び結合器で受信したデータを前記非直流符号化方式により元のベースバンドの伝送データに復号化してから前記所定の有線伝送方法の物理層に渡す、
ことを特徴とする請求項１８に記載の伝送装置。